(57)【要約】  【課題】避雷器及び電気機器からの接地線を鉄筋コンクリート基礎の鉄筋に接続する建物用避雷配線システムの接地部材において、コンクリート基礎の上面に突出部がなく、建物の土台などの構造物を設置する際に邪魔にならない接地部材を提供する。  【解決手段】接地部材における接地線接続端子部を鉄筋コンクリート基礎の側面部に導出して、鉄筋コンクリート基礎の鉄筋に溶接またはボルト締めにより機械的及び電気的に接続する。接地線は接地線接続端子部に雌ネジ頭部を設けておき、この雌ネジ頭部に接地線端部に接続した圧着端子をネジ止めするものとする。  【選択図】図２
0003131042.tif 000002
【実用新案登録請求の範囲】
【請求項１】
避雷器及び電気機器からの接地線を鉄筋コンクリート基礎の鉄筋に接続する建物用避雷配線システムの接地部材において、接地線接続端子部を鉄筋コンクリート基礎の側面部に導出して、鉄筋コンクリート基礎の鉄筋に溶接またはボルト締めにより機械的及び電気的に接続したことを特徴とする接地部材。
【請求項２】
接地線接続端子部が雌ネジ頭部を有し接地線端部に接続した圧着端子をネジ止め可能とした請求項１記載の接地部材。
【請求項３】
雌ネジ頭部を覆って接地線接続端子部にキャップを被せてなる請求項１又は２記載の接地部材。
【請求項４】
接地部材が、鉄筋コンクリート基礎の鉄筋に機械的及び電気的に接続される導体部と、この導体部の先端部に設けられる接地線接続端子部とからなり、前記導体部の先端部に雄ネジが形成され、接地線接続端子部を螺合することにより導体部先端部からの突出度を調節可能とした請求項１、２又は３記載の接地部材。
【請求項５】
雌ネジ頭部を覆って接地線接続端子部に被せたキャップを突出方向にバネ付勢してなる請求項３記載の接地部材。
【請求項６】
接地部材が、鉄筋コンクリート基礎の鉄筋に機械的及び電気的に接続される導体部と、この導体部の先端部に設けられる接地線接続端子部とからなり、前記導体部が可撓性を有しており、コンクリート基礎の型枠外側より接地線接続端子部の雌ネジ頭部にボルトを螺合することによって雌ネジ頭部を型枠内側面に密着させることができる請求項１記載の接地部材。
【請求項７】
接地部材が、鉄筋コンクリート基礎の鉄筋に機械的及び電気的に接続される導体部と、この導体部の先端部に設けられる接地線接続端子部とからなり、前記導体部が可撓性を有しており、コンクリート基礎の金属製型枠と接地線接続端子部の雌ネジ頭部との間にマグネットを配することによって雌ネジ頭部をマグネットを介して型枠内側面に密着させるようにした請求項１記載の接地部材。
【考案の詳細な説明】
【技術分野】
【０００１】
この考案は、一般住宅等の建物において屋内に引き込まれる電力線、電話線、アンテナ線等より侵入する雷サージ電圧から家電機器を保護するための建物用避雷配線システムにおいて使用する接地部材の改良に関するものである。
【背景技術】
【０００２】
雷サージ電圧から家電機器を保護するために設置される避雷器は、概ね電源線、電話線、アンテナ線の避雷器がそれぞれ独立して別箇所に設置されるのが通常である。
また、接地方式としては接地棒電極が用いられ、一般住宅における接地は、電気機器用の接地抵抗が100Ω以下、漏電遮断器を設ける場合は500Ω以下を基準として、接地棒電極により接地が取られている。
接地抵抗が高いと避雷器が動作しても、電源線、電話線、アンテナ線の対地間電圧を、電気機器の回路−筐体間における絶縁破壊が発生しない程度に低下させることが出来ない。そこで、電気機器筐体からの接地線を避雷器の接地線に接続して避雷器の接地端子と電気機器の筐体を等電位にすることにより、電気機器の回路−筐体間における絶縁破壊による接地抵抗の影響を軽減する方法もとられている。
ところで、電源線、電話線、アンテナ線等の避雷器がそれぞれ独立して別箇所に設置されていると接地線の配線が煩瑣にならざるを得ない。また、接地方式として接地棒電極を用いる場合、一般住宅では、接地棒の打設位置が状況により避雷器から離れた場所になり、接地線長が長くなる場合が多い。この場合、接地線によるサージインピーダンスが大きくなり、避雷器が動作しても対地間雷電圧は低減しなくなる。
また、接地棒による接地極では、大地抵抗率が高い土壌では接地抵抗が高く、対地間電圧が低くできない。さらに、接地棒による接地極では、避雷器が動作して接地極から大地に雷電流が流れ出した場合、大地に電位差が発生してエアコンディショナーの室外機や給湯機等、屋外に設置された電気機器では筐体と金属構造体間でスパークする。この場合も同様に避雷器の接地端子から電気機器の接地線を介して住宅金属構造体から大地に雷電流が流れる。この時、接地線に雷電流が流れると、そのサージインピーダンスにより発生した雷電圧が電気機器の回路−筐体間に加わり、その絶縁耐電圧より高くなれば絶縁破壊を起こすことになる。
【０００３】
そこで、特許文献１に示すような建物用避雷配線システムが提供されている。これは、電力線、電話線、アンテナ線あるいはＣＡＴＶ線の避雷回路を共通の筐体に組み込んで一体化した避雷器を介して配線することにより、接地を容易にするとともに、できるだけ接地面積が広く、低い接地抵抗値を容易に得ることができ、接地線の長さも最短にすることができる接地方式としたものである。すなわち、屋外から引き込まれる電力線、電話線、アンテナ線あるいはＣＡＴＶ線の避雷回路を共通の筐体に組み込んだ避雷器を介して建物内に配線し、避雷器の接地線と電気機器からの接地線を共通接地端子に接続して、共通接地端子から鉄筋コンクリート基礎の鉄筋に接地線を接続した建物用避雷配線システムであり、接地部材としては、片側に鋼棒を嵌合して銀ロウ付け接続した銅管スリーブの反対側に前記共通接地端子からの接地線を圧着接続し、鋼棒と鉄筋コンクリート基礎の鉄筋を溶接またはボルト締めにより機械的及び電気的に接続するようにしている。
【特許文献１】特開2006-288126
【考案の開示】
【考案が解決しようとする課題】
【０００４】
ところで、上記接地部材は図１０に示すように、コンクリート基礎１の上面から突出させた鋼管スリーブ１９の上端部に接地線２０を圧着接続するものとし、鋼管スリーブ１９
の下端部に鋼棒２１を嵌合して銀ロウ付けを施し、この鋼棒２１をＬ字型鉄筋２２を介して基礎底盤の鉄筋２３に取り付けていた。
しかしながら、コンクリート基礎１の上面から鋼管スリーブ１９を突出させて、その上端部に接地線２０を接続する構成においては、基礎上面に建物の土台などの構造物を設置する際邪魔となる難点があった。
そこでこの考案の目的とするところは、コンクリート基礎の上面に突出部がなく、建物の土台などの構造物を設置する際に邪魔にならない接地部材を提供することを目的とする。
【課題を解決するための手段】
【０００５】
上記目的を達成するため、本考案の建物用避雷配線システムの接地部材は次のように構成される。
すなわち、避雷器及び電気機器からの接地線を鉄筋コンクリート基礎の鉄筋に接続する建物用避雷配線システムの接地部材において、接地線接続端子部を鉄筋コンクリート基礎の側面部に導出して、鉄筋コンクリート基礎の鉄筋に溶接またはボルト締めにより機械的及び電気的に接続したことを特徴としている。
このように、接地線接続端子部を鉄筋コンクリート基礎の側面部に導出して、側面部において接地線を接続するようにしておけば、コンクリート基礎の上面に突出部がなく、建物の土台などの構造物を設置する際に邪魔にならない接地部材とすることができる。
【０００６】
接地線の接続構成としては、接地線接続端子部に雌ネジ頭部を設けておき、この雌ネジ頭部に接地線端部に接続した圧着端子をネジ止めする構成が採用できる。コンクリート基礎の打設時に雌ネジ頭部内にコンクリートが侵入しないように雌ネジ頭部を覆って接地線接続端子部にキャップを被せておき、打設後、キャップを取り外すようにするのが望ましい。基礎完成後にキャップを取り出せば、コンクリート基礎の側面にキャップ分の凹部が形成されるため、この凹部を介して接地線を接続することができる。
【０００７】
接地部材は、鉄筋コンクリート基礎の鉄筋に機械的及び電気的に接続される導体部と、この導体部の先端部に設けられる接地線接続端子部とからなり、接地線接続端子部は導体部の先端部に溶接によって取り付けられるのを通常とするが、導体部の先端部に雄ネジを形成し、接地線接続端子部を螺合するようにしておけば、接地線接続端子部の導体部先端部からの突出度を調節可能とすることができる。コンクリート基礎の打設時、型枠が使用されるが、接地線接続端子部は型枠内面に密接していることが望まれる。しかるに型枠位置がずれた場合、固定式の接地線接続端子部においては打設されたコンクリート内に埋没状態となり、鉄筋コンクリート基礎の側面部に導出できないおそれがあるが、上記のように導体部先端部からの突出度を調節可能としておけば、型枠内面に密接するように調節することが可能となる。
【０００８】
上記は接地線接続端子部を導体部に螺合することによって突出度を調節可能としているが、雌ネジ頭部を覆って接地線接続端子部に被せたキャップを突出方向にバネ付勢しておけばキャップが型枠内面に密着した状態でコンクリートを打設することができる。基礎完成後にキャップを取り出せば、コンクリート基礎の側面にキャップ分の凹部が形成されるため、この凹部を介して接地線を接続することができる。
【０００９】
また、鉄筋コンクリート基礎の鉄筋に機械的及び電気的に接続される導体部に可撓性を有する材料を用い、この導体部の先端部に設けられる接地線接続端子部の雌ネジ頭部にコンクリート基礎の型枠外側よりボルトを螺合して引き付ける構成とすれば、雌ネジ頭部を型枠内側面に密着させることができるので、コンクリートの打設後に型枠を取り外せば、コンクリート基礎の側面部に雌ネジ頭部の端面が露出しており、接地線を接続することができる。
【００１０】
また、最近では金属製の型枠が使用されることが多いが、鉄製のような磁性材料の場合、可撓性を有する導体部の先端部に取り付けた接地線接続端子部の雌ネジ頭部と金属製型枠との間にマグネットを配することによって雌ネジ頭部をマグネットを介して型枠内側面に密着させることもできる。コンクリート打設後、型枠とともにマグネットを取り外せば、マグネット分の凹部が形成されるため、この凹部を介して接地線を接続することができる。
【考案の効果】
【００１１】
上記構成の接地部材によれば、コンクリート基礎の上面に突出部がなく、建物の土台などの構造物を設置する際に邪魔にならない接地部材を提供することできる。請求項４から請求項７に記載した接地部材においては、コンクリート型枠位置がずれた場合においても接地線接続端子部をコンクリート基礎の側面部から露出させることができる。
【考案を実施するための最良の形態】
【００１２】
以下、本考案に係る建物用避雷配線システムの接地部材の実施態様について説明する。図１は、本考案に係る接地部材の一例を示す正面図、図２は鉄筋コンクリート内に埋設された接地部材に接地線を接続した状態を示す断面図で、接地部材は鉄筋コンクリート基礎１の鉄筋２に機械的及び電気的に接続される導体部３と、この導体部３の先端部に溶接によって取り付けられた接地線接続端子部４とによって構成されている。接地線接続端子部４には雌ネジ頭部５が設けられ、コンクリート基礎の打設時に雌ネジ頭部５内にコンクリートが侵入しないように雌ネジ頭部５を覆って接地線接続端子部４にキャップ６が被せられている。導体部３は下端部を折曲してコンクリート基礎底盤の鉄筋２ａに固定金具７を用いてボルト・ナットで固定するようにしている。なお、上記接地線接続端子部４及び雌ネジ頭部５としては長ナットをそのまま用いることができる。
【００１３】
施工順序としては、鉄筋２を敷設後、基礎底盤の鉄筋２ａに固定金具７を用いて導体部３の下端部を固定して接地部材を設置し、次いで型枠内にコンクリートを流し込み鉄筋コンクリート基礎１を造成するが、流し込むコンクリートが接地線接続端子部４の雌ネジ頭部５に侵入しないようにキャップ６を被せておく。接地部材の設置状態としてはキャップ６が型枠の内面に密着するように取り付けることが望まれる。鉄筋コンクリート基礎１の完成後に型枠を取り外し、キャップ６を取り除くと、図３に示す通り、コンクリート基礎１の側面においてキャップ６分の凹部８が形成され雌ネジ頭部３がこの凹部６を通じてコンクリート基礎１の側面部に導出されることになる。接地線９は端部に圧着端子１０が接続されており、この圧着端子１０、平ワッシャ１１、スプリングワッシャ１２を挿通したボルト１３を雌ネジ頭部３にネジ止めすることによって接地作業は完了する。
【００１４】
鉄筋コンクリート基礎１の型枠は施工時において鉄筋２との位置関係が微妙にずれることがあり、基本的設計に基づいて接地部材をとりつけた場合、コンクリート基礎内に接地部材全体が埋没してしまう懸念がある。このような場合、そのずれが比較的小さい場合には前記キャップ６によってずれを吸収させることができる。
図４において（ａ）、（ｂ）、（ｃ）はこのようなキャップ６によるずれの調整操作を説明した概略図である。
すなわち、図４（ａ）は当初設定された型枠１４と鉄筋２の位置関係において接地部材を設置し得る場合の各部の位置関係を示している。しかるに、図４（ｂ）のように鉄筋２が図面上右側に偏倚した場合、その偏倚分だけ深くキャップ６を接地線接続端子部４に被せることによって、キャップ６と型枠１４との密着性が得られる。また、図４（ｃ）のように鉄筋２が図面上左側に偏倚した場合、その偏倚分だけ浅くキャップ６を接地線接続端子部４に被せれば、同じくキャップ６と型枠１４との密着性が得られる。いずれの場合も型枠１４及びキャップ６を取り外せば、キャップ６分の凹部８が形成され雌ネジ頭部３が
この凹部６を通じてコンクリート基礎１の側面部に導出される。
【００１５】
型枠１４と鉄筋２の位置関係において当初設定よりも大きく偏倚した場合、例えば、図５（ａ）のように鉄筋２が図面上大きく左側に偏倚した場合、図５（ｂ）のように接地部材をコンクリート基礎底盤の鉄筋２ａに取り付ける際、右側に偏倚させて取り付けることによって対応することができる。
【００１６】
型枠内面との密着状態を得る構成としては次のような方式をとることもできる。
図６（ａ）、（ｂ）は接地線接続端子部４を導体部３に対して可動状態に取り付けた例を示す。すなわち、導体部３の先端部に雄ネジを形成し、接地線接続端子部４を螺合することによって導体部３の先端部からの突出度を調節可能としたものである。図６（ａ）のように当初の設置位置においてキャップ６が型枠１４から離反している場合、図６（ｂ）のように接地線接続端子部４の螺合深度を緩めることによって型枠１４に密着させることができる。図中１５は緩み止めナットである。
【００１７】
図７（ａ）、（ｂ）は、雌ネジ頭部５を覆って接地線接続端子部４に被せたキャップ６を突出方向にバネ付勢した例を示す。すなわち、圧縮コイルスプリング１６を接地線接続端子部４の一部とキャップ６との間に装架することによりキャップ６を突出方向にバネ付勢することによりキャップ６を型枠１４の内面に密着させるようにしたものである。
【００１８】
上記の例では、いずれもキャップ６を使用しているが、キャップ６を使用せずに同様の目的を達成することもできる。
図８はその一例を示すもので、鉄筋コンクリート基礎１の鉄筋２に機械的及び電気的に接続される導体部３に可撓性を有する材料を用い、この導体部３の先端部に設けられる接地線接続端子部４の雌ネジ頭部５にコンクリート基礎の型枠１４の外側よりボルト１７を螺合して引き付ける構成としている。これによって雌ネジ頭部５を型枠１４の内側面に密着させることができるので、コンクリートの打設後に型枠１４を取り外せば、コンクリート基礎１の側面部に雌ネジ頭部５の端面が露出しており、接地線を接続することができる。
【００１９】
図９はさらに他例を示すもので、マグネットを利用している。すなわち、最近では金属製の型枠が使用されることが多いが、鉄製のような磁性材料の場合、可撓性を有する導体部３の先端部に取り付けた接地線接続端子部４の雌ネジ頭部５と金属製型枠１４との間にマグネット１８を配することによって雌ネジ頭部５をマグネット１８を介して型枠内側面に密着させるようにしたものである。コンクリート打設後、型枠１４とともにマグネット１８を取り外せば、マグネット分の凹部が形成されるため、この凹部を介して接地線を接続することができる。
なお、上記いずれの実施態様においても接地部材の接地線接続端子部を導出する鉄筋コンクリート基礎の側面部は屋内側とするのが雨水などを避ける観点から好ましい。
なお、上記は実施態様の一例を示すもので、本考案の技術的思想の範囲内において種々の態様を採用し得ることはいうまでもない。
【図面の簡単な説明】
【００２０】
【図１】本考案に係る接地部材の一例を示す正面図
【図２】鉄筋コンクリート内に埋設された接地部材に接地線を接続した状態を示す断面図
【図３】接地線を接続状態を示す要部拡大断面図
【図４】図４（ａ）、（ｂ）、（ｃ）は鉄筋コンクリート基礎の型枠と鉄筋との位置関係のずれを調整する方式の一例を示す概略図
【図５】図５（ａ）、（ｂ）は同じく鉄筋コンクリート基礎の型枠と鉄筋との位置関係のずれを調整する方式の他例を示す概略図
【図６】図６（ａ）、（ｂ）は同調整方式の他例を示す概略図
【図７】図７（ａ）、（ｂ）は同調整方式のさらに他の例を示す概略図
【図８】さらに他の調整方式を示す概略図
【図９】またさらに他の調整方式を示す概略図
【図１０】従来の接地部材の施工状態を示す斜視図
【符号の説明】
【００２１】
１…  鉄筋コンクリート基礎
２…  鉄筋
２ａ…コンクリート基礎底盤の鉄筋
３…  導体部
４…  接地線接続端子部
５…  雌ネジ頭部
６…  キャップ
７…  固定金具
８…  凹部
９…  接地線
１４…  型枠
１６…  圧縮コイルスプリング
１７…  ボルト
１８…  ボルト
【図１】
0003131042.tif 000003
【図２】
0003131042.tif 000004
【図３】
0003131042.tif 000005
【図４】
0003131042.tif 000006
【図５】
0003131042.tif 000007
【図６】
0003131042.tif 000008
【図７】
0003131042.tif 000009
【図８】
0003131042.tif 000010
【図９】
0003131042.tif 000011
【図１０】
0003131042.tif 000012